(57)【特許請求の範囲】
【請求項１】
動画再生時、視聴者端末装置を介して到来する要求に基づき、動画と前記動画と関連付けられた動画用同期再生コンテンツを配信する動画像配信システムにおける同期再生用コンテンツのアクセス制御装置であって、
前記視聴者端末装置を介して得られる要求に基づき、視聴者が再生しようとする動画に関連付けられた同期再生用コンテンツを送信する同期再生用コンテンツ付与手段と、
前記動画に関連付けられた前記同期再生用コンテンツに対し、前記視聴者端末装置を介して個人もしくはグループ単位で付与されるアクセス権限情報により、前記同期再生用コンテンツのアクセス制御を行なうアクセス制御手段とを備え、
前記同期再生用コンテンツ付与手段は、
動画再生時、前記視聴者端末装置から、再生対象となる動画ＩＤと視聴者ＩＤを含む同期再生コンテンツの送信要求を受信し、グループ情報ＤＢから前記視聴者が所属するグループＩＤを取得するグループ情報ＤＢ読取り手段と、
同期情報ＤＢから前記受信した動画ＩＤと関連付けられている同期情報ＩＤを取得する同期情報ＩＤ読取り手段と、
同期再生用コンテンツＤＢから前記受信した視聴者ＩＤ、取得したグループＩＤ、同期情報ＩＤに基づき、視聴者が再生しようとする動画に関連付けられ、かつ、再生形態が再生となっている同期情報ＩＤを取得する同期再生用コンテンツＤＢ読取り手段とを備え、
前記取得した同期情報ＩＤに関する同期情報を前記同期情報ＤＢから取得し、前記取得した同期情報を要求のあった視聴者端末装置へ送信することを特徴とする動画用同期再生コンテンツのアクセス制御装置。
【請求項２】
前記アクセス制御手段は、前記視聴者端末装置を操作することによって付与される前記同期再生用コンテンツ再生制御情報により、その再生形態を制御することを特徴とする請求項１に記載の動画用同期再生コンテンツのアクセス制御装置。
【請求項３】
前記アクセス制御手段は、
前記視聴者端末装置を操作することによって付与される前記再生形態の変更権限情報によりその再生形態のアクセス制御を行なうことを特徴とする請求項２に記載の動画用同期再生コンテンツのアクセス制御装置。
【請求項４】
前記アクセス制御手段は、
前記視聴者端末装置から、動画と同期再生用コンテンツの関連付けを行なう要求を受信し、その受信した情報から前記同期再生用コンテンツＤＢに書き込む情報を分離して新たなＩＤを発行し、前記同期再生用コンテンツＤＢに格納する同期再生用コンテンツＤＢ格納手段と、
前記受信した情報から前記同期再生用コンテンツに対してアクセス権限を付与する視聴者ＩＤやグループＩＤを分離して、前記アクセス権限を与える単位で同期再生用コンテンツ管理者ＤＢに格納する同期再生用コンテンツ管理者ＤＢ格納手段と、
前記受信した情報から前記情報に対してアクセス権限を付与する視聴者ＩＤやグループＩＤを分離して、前記アクセス権限を与える単位で同期情報管理者ＤＢに格納する同期情報管理者ＤＢ格納手段と、
前記受信した情報から前記同期情報で関連付けられた前記同期再生用コンテンツを再生形態情報とその再生形態情報へのアクセス権限を付与する視聴者ＩＤやグループＩＤを分離して、前記アクセス権限を与える単位で同期再生コンテンツ再生制御情報ＤＢに格納する同期再生コンテンツ再生制御情報ＤＢ格納手段とを備えたことを特徴とする請求項１から３のいずれか１項に記載の動画用同期再生コンテンツのアクセス制御装置。
【請求項５】
前記アクセス制御手段は、
前記視聴者端末装置から、視聴者ＩＤ、変更したい同期情報ＩＤを含む変更要求を受信し、その受信した情報に基づき、前記同期情報管理者ＤＢから、前記受信した同期情報ＩＤと視聴者ＩＤに対する同期情報アクセス制御情報を読出す同期情報管理者ＤＢ読出し手段と、
グループ情報ＤＢから前記受信した視聴者ＩＤが所属するグループＩＤを取得し、当該グループＩＤならびに前記受信した同期情報ＩＤに基づき、同期情報ＤＢから前記同期情報ＩＤが管理している同期再生用コンテンツＩＤを取得する同期情報ＤＢ読出し手段と、
前記同期再生用コンテンツ管理者ＤＢから、前記受信した視聴者ＩＤ、取得したグループＩＤ、前記取得した同期再生用コンテンツＩＤのそれぞれに基づき同期再生用コンテンツ管理者に対する同期再生用コンテンツアクセス制御情報を取得する同期再生用コンテンツ管理者ＤＢ読出し手段と、
前記同期再生コンテンツ再生制御ＤＢから前記受信した視聴者ＩＤと前記取得した同期情報ＩＤに基づき再生形態アクセス制御情報を取得する同期再生コンテンツ再生制御ＤＢ読出し手段とを備え、
前記取得した同期情報アクセス制御情報、同期再生用コンテンツ管理者に対する同期再生用コンテンツアクセス制御情報、再生形態アクセス制御情報のそれぞれに基づき、前記視聴者端末装置からのアクセスを許容することを特徴とする請求項１から４のいずれか１項に記載の動画用同期再生コンテンツのアクセス制御装置。
【請求項６】
動画再生時、視聴者端末装置を介して到来する要求に基づき、動画と前記動画と関連付けられた同期再生用コンテンツを配信する動画像配信システムのための動画用同期再生コンテンツのアクセス制御方法であって、
前記動画に関連付けられた前記同期再生用コンテンツに対し、前記視聴者端末装置を介して個人もしくはグループ単位で付与されるアクセス権限情報により、前記同期再生用コンテンツのアクセス制御を行ない、
前記視聴者端末装置を介して得られる要求に基づき、視聴者が再生しようとする動画に関連付けられた同期再生用コンテンツの送信を、前記視聴者端末装置から、再生対象となる動画ＩＤと視聴者ＩＤを含む同期再生コンテンツの送信要求を受信するステップと、グループ情報ＤＢから前記視聴者が所属するグループＩＤを取得するステップと、同期情報ＤＢから前記受信した動画ＩＤと関連付けられている同期情報ＩＤを取得するステップと、同期再生用コンテンツＤＢから前記受信した視聴者ＩＤ、取得したグループＩＤ、同期情報ＩＤに基づき、視聴者が再生しようとする動画に関連付けられ、かつ、再生形態が再生となっている同期情報ＩＤを取得するステップと、前記取得した同期情報ＩＤに関する同期情報を前記同期情報ＤＢから取得するステップと、前記取得した同期情報を要求のあった視聴者端末装置へ送信するステップにより行うことを特徴とする動画用同期再生コンテンツのアクセス制御方法。
【請求項７】
前記視聴者端末装置を操作することによって付与される同期再生用コンテンツ再生制御情報により、その再生形態を制御することを特徴とする請求項６に記載の動画用同期再生コンテンツのアクセス制御方法。
【請求項８】
前記視聴者端末装置を操作することによって付与される前記再生形態の変更権限情報によりその再生形態のアクセス制御を行なうことを特徴とする請求項７に記載の動画用同期再生コンテンツのアクセス制御方法。
【請求項９】
動画再生時、視聴者端末装置を介して到来する要求に基づき、動画と前記動画と関連付けられた同期再生用コンテンツを配信する動画配信システムにおける動画用同期再生コンテンツのアクセス制御装置に用いられるアクセス制御プログラムであって、
前記視聴者端末装置を介して得られる要求に基づき、視聴者が再生しようとする動画に関連付けられた同期再生用コンテンツを送信する第１のステップと、
前記動画に関連付けられた前記同期再生用コンテンツに対し、前記視聴者端末装置を介して個人もしくはグループ単位で付与されるアクセス権限情報により、前記同期再生用コンテンツのアクセス制御を行なう第２のステップとを有し、
前記第１のステップは、
動画再生時、前記視聴者端末装置から、再生対象となる動画ＩＤと視聴者ＩＤを含む同期再生コンテンツの送信要求を受信するステップと、グループ情報ＤＢから前記視聴者が所属するグループＩＤを取得するステップと、
同期情報ＤＢから前記受信した動画ＩＤと関連付けられている同期情報ＩＤを取得するステップと、
同期再生用コンテンツＤＢから前記受信した視聴者ＩＤ、取得したグループＩＤ、同期情報ＩＤに基づき、視聴者が再生しようとする動画に関連付けられ、かつ、再生形態が再生となっている同期情報ＩＤを取得するステップと、
前記取得した同期情報ＩＤに関する同期情報を前記同期情報ＤＢから取得し、前記取得した同期情報を要求のあった視聴者端末装置へ送信するステップとを含み、前記各ステップをコンピュータに実行させる動画用同期再生コンテンツのアクセス制御プログラム。
【請求項１０】
前記第２のステップは、前記視聴者端末装置を操作することによって付与される同期再生コンテンツ再生制御情報により、その再生形態を制御するステップを含み、前記ステップをコンピュータに実行させることを特徴とする請求項９に記載の動画用同期再生コンテンツのアクセス制御プログラム。
【請求項１１】
前記第２のステップは、
前記視聴者端末装置を操作することによって付与される前記再生形態の変更権限情報によりその再生形態のアクセス制御を行なうステップを含み、前記ステップをコンピュータに実行させることを特徴とする請求項１０に記載の動画用同期再生コンテンツのアクセス制御プログラム。
【請求項１２】
前記第２のステップは、
前記視聴者端末装置から、動画と同期再生用コンテンツの関連付けを行なう要求を受信するステップと、前記受信した情報から前記同期再生用コンテンツＤＢに書き込む情報を分離して新たなＩＤを発行し、前記同期再生用コンテンツＤＢに格納するステップと、
前記受信した情報から前記同期再生用コンテンツに対してアクセス権限を付与する視聴者ＩＤやグループＩＤを分離して、前記アクセス権限を与える単位で同期再生用コンテンツ管理者ＤＢに格納するステップと、
前記受信した情報から前記情報に対してアクセス権限を付与する視聴者ＩＤやグループＩＤを分離して、前記アクセス権限を与える単位で同期情報管理者ＤＢに格納するステップと、
前記受信した情報から前記同期情報で関連付けられた前記同期再生用コンテンツを再生形態情報とその再生形態情報へのアクセス権限を付与する視聴者ＩＤやグループＩＤを分離して、前記アクセス権限を与える単位で同期再生コンテンツ再生制御情報ＤＢに格納するステップとを含み、前記各ステップをコンピュータに実行させる９から１１のいずれか１項に記載の動画用同期再生コンテンツのアクセス制御プログラム。
【請求項１３】
前記第２のステップは、
前記視聴者端末装置から、視聴者ＩＤ、変更したい同期情報ＩＤを含む変更要求を受信するステップと、前記受信した情報に基づき、前記同期情報管理者ＤＢから、前記受信した同期情報ＩＤと視聴者ＩＤに対する同期情報アクセス制御情報を読出すステップと、
前記グループ情報ＤＢから前記受信した視聴者ＩＤが所属するグループＩＤを取得し、当該グループＩＤならびに前記受信した同期情報ＩＤに基づき、前記同期情報ＤＢから前記同期情報ＩＤが管理している同期再生用コンテンツＩＤを取得するステップと、
前記同期再生用コンテンツ管理者ＤＢから、前記受信した視聴者ＩＤ、取得したグループＩＤ、前記取得した同期再生用コンテンツＩＤのそれぞれに基づき同期再生用コンテンツ管理者に対する同期再生用コンテンツアクセス制御情報を取得するステップと、
前記同期再生コンテンツ再生制御ＤＢから前記受信した視聴者ＩＤと前記取得した同期情報ＩＤに基づき再生形態アクセス制御情報を取得するステップと、
前記取得した同期情報アクセス制御情報、同期再生用コンテンツ管理者に対する同期再生用コンテンツアクセス制御情報、再生形態アクセス制御情報のそれぞれに基づき、前記視聴者端末装置からのアクセスを許容するステップとを含み、前記各ステップをコンピュータに実行させる９から１２のいずれか１項に記載の動画用同期再生コンテンツのアクセス制御プログラム。
【請求項１４】
動画再生時、視聴者端末装置を介して到来する要求に基づき、動画と前記動画と関連付けられた同期再生用コンテンツを配信する動画像配信システムにおける動画用同期再生コンテンツのアクセス制御装置に用いられるアクセス制御プログラムを記録したコンピュータ読取り可能な記録媒体であって、
前記視聴者端末装置を介して得られる要求に基づき、視聴者が再生しようとする動画に関連付けられた同期再生用コンテンツを送信する第１のステップと、
前記動画に関連付けられた前記動画用同期再生コンテンツに対し、前記視聴者端末装置を介して個人もしくはグループ単位で付与されるアクセス権限情報により、前記動画用同期再生コンテンツのアクセス制御を行なう第２のステップとを有し、
前記第１のステップは、
動画再生時、前記視聴者端末装置から、再生対象となる動画ＩＤと視聴者ＩＤを含む同期再生コンテンツの送信要求を受信するステップと、グループ情報ＤＢから前記視聴者が所属するグループＩＤを取得するステップと、
同期情報ＤＢから前記受信した動画ＩＤと関連付けられている同期情報ＩＤを取得するステップと、
同期再生用コンテンツＤＢから前記受信した視聴者ＩＤ、取得したグループＩＤ、同期情報ＩＤに基づき、視聴者が再生しようとする動画に関連付けられ、かつ、再生形態が再生となっている同期情報ＩＤを取得するステップと、
前記取得した同期情報ＩＤに関する同期情報を前記同期情報ＤＢから取得し、前記取得した同期情報を要求のあった視聴者端末装置へ送信するステップとを含み、前記各ステップをコンピュータに実行させる動画用同期再生コンテンツのアクセス制御プログラムを記録した記録媒体。
【請求項１５】
前記第２のステップは、前記視聴者端末装置を操作することによって付与される前記動画用同期再生コンテンツ再生制御情報により、その再生形態を制御するステップを含み、前記ステップをコンピュータに実行させることを特徴とする請求項１４に記載の動画用同期再生コンテンツのアクセス制御プログラムを記録した記録媒体。
【請求項１６】
前記第２のステップは、
前記視聴者端末装置を操作することによって付与される前記再生形態の変更権限情報によりその再生形態のアクセス制御を行なうステップを含み、前記ステップをコンピュータに実行させることを特徴とする請求項１５に記載の動画用同期再生コンテンツのアクセス制御プログラムを記録した記録媒体。
【発明の詳細な説明】
【０００１】
【発明の属する技術分野】
本発明は、動画と同期したコンテンツ再生機能を有する動画像送受信システムに用いて好適な、同期再生コンテンツのアクセス制御装置および方法、ならびにアクセス制御プログラム、記録媒体に関する。
【０００２】
【従来の技術】
ウェブを用いた教育システム等、動画と同期したコンテンツ再生機能を有する動画像送受信システムでは、視聴者が受信機等の視聴者端末装置を操作することにより、動画の任意位置、時間に同期再生されるコンテンツを関連付け、その後の動画再生時に動画と同期して関連付けたコンテンツが再生される。
すなわち、従来の動画像送受信システムによれば、システムは、動画情報や同期再生用コンテンツ、同期情報のみを管理し、これらの情報に対して視聴者毎にアクセス制御を行なうための情報が存在しなかったため、システムは視聴者を区別できず、全ての視聴者に一律に関連付けられたコンテンツしか出来ない構造となっていた。
【０００３】
【発明が解決しようとする課題】
上記したように従来の動画像送受信システムでは、一度、動画に同期再生コンテンツを関連付けると、どの視聴者が動画を再生しても一律に関連付けられたコンテンツが再生される。従って、限定した視聴者に対してのみ同期再生用コンテンツを再生させることは出来なかった。また、この関連付けの情報を編集する権限を視聴者毎に持たせる操作制限を行なうこともできなかった。
【０００４】
例えば、上記した動画像送受信システムの応用であるウェブ教育システムでは、動画教材とテキスト等学習補助内容（同期再生用コンテンツ）が、動画上に学習補助内容を表示する座標や時刻等の学習補助データで関連付けられてあるのみであったため、全ての学習者に対して同じ学習補助内容が表示され、学習中、教材に対して学習者独自の情報を付与することはできなかった。
学習者の理解度や学習効果を増すためには従来のシステムを拡張して学習者毎に動画教材にメモやマーク等学習補助データを添付するための機能を追加し、学習効率を高めるためのシステム構築を行なう必要がある。
【０００５】
本発明は上記事情に鑑みてなされたものであり、従来の動画像送受信システムが持つ、動画情報、同期再生用コンテンツ、同期情報のデータベースに、同期再生用コンテンツ管理者、同期情報管理者、視聴者情報、グループ情報の各情報を追加し、動画に関連付けられた同期再生用コンテンツに対して視聴者やグループ単位でアクセス権限を付与することによってアクセス制御を行なうことにより、視聴者やグループ単位での同期再生用コンテンツの再生を実現した、同期再生コンテンツのアクセス制御装置および方法、ならびにアクセス制御プログラム、記録媒体を提供することを目的とする。
また、同期再生用コンテンツの再生制御に関する情報をデータベースに追加し、視聴者やグループ毎に同期再生コンテンツの再生形態を制御し、更に、その再生形態に対する変更権限を付加することで、権限付加単位での再生形態保持やその形態情報へのアクセス制御を行なうことのできる、同期再生コンテンツのアクセス制御装置および方法、ならびにアクセス制御プログラム、記録媒体を提供することも目的とする。
【０００６】
【課題を解決するための手段】
上記した課題を解決するために本発明は、動画再生時、視聴者端末装置を介して到来する要求に基づき、動画と前記動画と関連付けられた動画用同期再生コンテンツを配信する動画像配信システムにおける同期再生用コンテンツのアクセス制御装置であって、前記視聴者端末装置を介して得られる要求に基づき、視聴者が再生しようとする動画に関連付けられた同期再生用コンテンツを送信する同期再生用コンテンツ付与手段と、前記動画に関連付けられた前記同期再生用コンテンツに対し、前記視聴者端末装置を介して個人もしくはグループ単位で付与されるアクセス権限情報により、前記同期再生用コンテンツのアクセス制御を行なうアクセス制御手段とを備え、前記同期再生用コンテンツ付与手段は、動画再生時、前記視聴者端末装置から、再生対象となる動画ＩＤと視聴者ＩＤを含む同期再生コンテンツの送信要求を受信し、グループ情報ＤＢから前記視聴者が所属するグループＩＤを取得するグループ情報ＤＢ読取り手段と、同期情報ＤＢから前記受信した動画ＩＤと関連付けられている同期情報ＩＤを取得する同期情報ＩＤ読取り手段と、同期再生用コンテンツＤＢから前記受信した視聴者ＩＤ、取得したグループＩＤ、同期情報ＩＤに基づき、視聴者が再生しようとする動画に関連付けられ、かつ、再生形態が再生となっている同期情報ＩＤを取得する同期再生用コンテンツＤＢ読取り手段とを備え、前記取得した同期情報ＩＤに関する同期情報を前記同期情報ＤＢから取得し、前記取得した同期情報を要求のあった視聴者端末装置へ送信することを特徴とする。
【０００７】
また、本発明の動画用同期再生コンテンツのアクセス制御装置において、前記アクセス制御手段は、前記視聴者端末装置を操作することによって付与される動画用同期再生コンテンツ再生制御情報により、その再生形態を制御することを特徴とする。
【０００８】
また、本発明の動画用同期再生コンテンツのアクセス制御装置において、前記アクセス制御手段は、前記視聴者端末装置を操作することによって付与される前記再生形態の変更権限情報によりその再生形態のアクセス制御を行なうことを特徴とする。
【００１０】
また、本発明の動画用同期再生コンテンツのアクセス制御装置において、前記アクセス制御手段は、前記視聴者端末装置から、動画と同期再生用コンテンツの関連付けを行なう要求を受信し、その受信した情報から前記同期再生用コンテンツＤＢに書き込む情報を分離して新たなＩＤを発行し、前記同期再生用コンテンツＤＢに格納する同期再生用コンテンツＤＢ格納手段と、前記受信した情報から前記同期再生用コンテンツに対してアクセス権限を付与する視聴者ＩＤやグループＩＤを分離して、前記アクセス権限を与える単位で同期再生用コンテンツ管理者ＤＢに格納する同期再生用コンテンツ管理者ＤＢ格納手段と、前記受信した情報から前記情報に対してアクセス権限を付与する視聴者ＩＤやグループＩＤを分離して、前記アクセス権限を与える単位で同期情報管理者ＤＢに格納する同期情報管理者ＤＢ格納手段と、前記受信した情報から前記同期情報で関連付けられた前記同期再生用コンテンツを再生形態情報とその再生形態情報へのアクセス権限を付与する視聴者ＩＤやグループＩＤを分離して、前記アクセス権限を与える単位で同期再生コンテンツ再生制御情報ＤＢに格納する同期再生コンテンツ再生制御情報ＤＢ格納手段とを備えたことを特徴とする。
【００１１】
また、本発明の動画用同期再生コンテンツのアクセス制御装置において、前記アクセス制御手段は、前記視聴者端末装置から、視聴者ＩＤ、変更したい同期情報ＩＤを含む変更要求を受信し、その受信した情報に基づき、前記同期情報管理者ＤＢから、前記受信した同期情報ＩＤと視聴者ＩＤに対する同期情報アクセス制御情報を読出す同期情報管理者ＤＢ読出し手段と、グループ情報ＤＢから前記受信した視聴者ＩＤが所属するグループＩＤを取得し、当該グループＩＤならびに前記受信した同期情報ＩＤに基づき、同期情報ＤＢから前記同期情報ＩＤが管理している同期再生用コンテンツＩＤを取得する同期情報ＤＢ読出し手段と、前記同期再生用コンテンツ管理者ＤＢから、前記受信した視聴者ＩＤ、取得したグループＩＤ、前記取得した同期再生用コンテンツＩＤのそれぞれに基づき同期再生用コンテンツ管理者に対する同期再生用コンテンツアクセス制御情報を取得する同期再生用コンテンツ管理者ＤＢ読出し手段と、前記同期再生コンテンツ再生制御ＤＢから前記受信した視聴者ＩＤと前記取得した同期情報ＩＤに基づき再生形態アクセス制御情報を取得する同期再生コンテンツ再生制御ＤＢ読出し手段とを備え、前記取得した同期情報アクセス制御情報、同期再生用コンテンツ管理者に対する同期再生用コンテンツアクセス制御情報、再生形態アクセス制御情報のそれぞれに基づき、前記視聴者端末装置からのアクセスを許容することを特徴とする。
【００１２】
本発明の動画用同期再生コンテンツのアクセス制御装置によれば、アセス制御装置が従来から持つ動画情報、同期再生用コンテンツ、同期情報の各ＤＢに、同期再生用コンテンツ管理者、同期情報管理者、視聴者情報、グループ情報の各情報を追加し、アクセス制御手段が、動画に関連付けられた同期再生用コンテンツに対して視聴者や視聴者グループ単位でアクセス権限を付与しアクセス制御を行なうことで、視聴者やグループ単位での同期再生用コンテンツの再生を実現する。
また、同期再生用コンテンツの再生制御に関する情報を上記したＤＢに追加し、視聴者やグループ毎に同期再生コンテンツの再生形態を制御し、更に、その再生形態に対する変更権限を付加することで、権限付加単位での再生形態保持やその形態情報へのアクセス制御を行なうことができる。
【００１３】
なお、ここでいう「同期再生用コンテンツ」とは、視聴者端末装置で再生している動画と同期して再生されるコンテンツであり、動画、静止画、音声、文字等のマルチメデイア情報とする。また、「同期再生用コンテンツ」は、そのコンテンツの種類毎の一般的な再生方法で再生される。例えば、動画や静止画は視聴者端末装置を構成する表示装置上に表示され、音声等はスピーカから出力される。また、「同期情報」とは、同期再生用コンテンツを動画と同期して再生させるために必要となる関連付け情報であり、同期を取るための時刻情報や表示位置情報が含まれる。更に、「再生形態」とは、コンテンツの再生を行なうときの方法を示し、例えば、動画であれば通常再生、再生しない、モノクロ再生、ゆっくり再生等の再生方法を示す。コンテンツの種類によりこれら再生方法は複数存在する。
【００１４】
上記した課題を解決するために本発明は、動画再生時、視聴者端末装置を介して到来する要求に基づき、動画と前記動画と関連付けられた同期再生用コンテンツを配信する動画像配信システムのための動画用同期再生コンテンツのアクセス制御方法であって、前記動画に関連付けられた前記動画用同期再生コンテンツに対し、前記視聴者端末装置を介して個人もしくはグループ単位で付与されるアクセス権限情報により、前記動画用同期再生コンテンツのアクセス制御を行なうことを特徴とする。
【００１５】
本発明の動画用同期再生コンテンツのアクセス制御方法において、前記視聴者端末装置を操作することによって付与される同期再生用コンテンツ再生制御情報により、その再生形態を制御することを特徴とする。
【００１６】
本発明の動画用同期再生コンテンツのアクセス制御方法において、前記視聴者端末装置を操作することによって付与される前記再生形態の変更権限情報によりその再生形態のアクセス制御を行なうことを特徴とする。
【００１７】
上記した課題を解決するために本発明は、動画再生時、視聴者端末装置を介して到来する要求に基づき、動画と前記動画と関連付けられた同期再生用コンテンツを配信する動画配信システムにおける動画用同期再生コンテンツのアクセス制御装置に用いられるアクセス制御プログラムであって、前記視聴者端末装置を介して得られる要求に基づき、視聴者が再生しようとする動画に関連付けられた同期再生用コンテンツを送信する第１のステップと、前記動画に関連付けられた前記同期再生用コンテンツに対し、前記視聴者端末装置を介して個人もしくはグループ単位で付与されるアクセス権限情報により、前記同期再生用コンテンツのアクセス制御を行なう第２のステップとを有し、前記第１のステップは、動画再生時、前記視聴者端末装置から、再生対象となる動画ＩＤと視聴者ＩＤを含む同期再生コンテンツの送信要求を受信するステップと、グループ情報ＤＢから前記視聴者が所属するグループＩＤを取得するステップと、同期情報ＤＢから前記受信した動画ＩＤと関連付けられている同期情報ＩＤを取得するステップと、同期再生用コンテンツＤＢから前記受信した視聴者ＩＤ、取得したグループＩＤ、同期情報ＩＤに基づき、視聴者が再生しようとする動画に関連付けられ、かつ、再生形態が再生となっている同期情報ＩＤを取得するステップと、前記取得した同期情報ＩＤに関する同期情報を前記同期情報ＤＢから取得し、前記取得した同期情報を要求のあった視聴者端末装置へ送信するステップとを含み、前記各ステップをコンピュータに実行させることを特徴とする。
【００１８】
本発明の動画用同期再生コンテンツのアクセス制御プログラムにおいて、前記第２のステップは、前記視聴者端末装置を操作することによって付与される前記動画用同期再生コンテンツ再生制御情報により、その再生形態を制御するステップを含み、前記ステップをコンピュータに実行させることを特徴とする。
【００１９】
本発明の動画用同期再生コンテンツのアクセス制御プログラムにおいて、前記第２のステップは、前記視聴者端末装置を操作することによって付与される前記再生形態の変更権限情報によりその再生形態のアクセス制御を行なうステップを含み、前記ステップをコンピュータに実行させることを特徴とする。
【００２１】
また、本発明の動画用同期再生コンテンツのアクセス制御プログラムにおいて、前記第２のステップは、前記視聴者端末装置から、動画と同期再生用コンテンツの関連付けを行なう要求を受信するステップと、前記受信した情報から前記同期再生用コンテンツＤＢに書き込む情報を分離して新たなＩＤを発行し、前記同期再生用コンテンツＤＢに格納するステップと、前記受信した情報から前記同期再生用コンテンツに対してアクセス権限を付与する視聴者ＩＤやグループＩＤを分離して、前記アクセス権限を与える単位で同期再生用コンテンツ管理者ＤＢに格納するステップと、前記受信した情報から前記情報に対してアクセス権限を付与する視聴者ＩＤやグループＩＤを分離して、前記アクセス権限を与える単位で同期情報管理者ＤＢに格納するステップと、前記受信した情報から前記同期情報で関連付けられた前記同期再生用コンテンツを再生形態情報とその再生形態情報へのアクセス権限を付与する視聴者ＩＤやグループＩＤを分離して、前記アクセス権限を与える単位で同期再生コンテンツ再生制御情報ＤＢに格納するステップとを含み、前記各ステップをコンピュータに実行させることを特徴とする。
【００２２】
また、本発明の動画用同期再生コンテンツのアクセス制御プログラムにおいて、前記第２のステップは、前記視聴者端末装置から、視聴者ＩＤ、変更したい同期情報ＩＤを含む変更要求を受信するステップと、前記受信した情報に基づき、前記同期情報管理者ＤＢから、前記受信した同期情報ＩＤと視聴者ＩＤに対する同期情報アクセス制御情報を読出すステップと、前記グループ情報ＤＢから前記受信した視聴者ＩＤが所属するグループＩＤを取得し、当該グループＩＤならびに前記受信した同期情報ＩＤに基づき、前記同期情報ＤＢから前記同期情報ＩＤが管理している同期再生用コンテンツＩＤを取得するステップと、前記同期再生用コンテンツ管理者ＤＢから、前記受信した視聴者ＩＤ、取得したグループＩＤ、前記取得した同期再生用コンテンツＩＤのそれぞれに基づき同期再生用コンテンツ管理者に対する同期再生用コンテンツアクセス制御情報を取得するステップと、  前記同期再生コンテンツ再生制御ＤＢから前記受信した視聴者ＩＤと前記取得した同期情報ＩＤに基づき再生形態アクセス制御情報を取得するステップと、前記取得した同期情報アクセス制御情報、同期再生用コンテンツ管理者に対する同期再生用コンテンツアクセス制御情報、再生形態アクセス制御情報のそれぞれに基づき、前記視聴者端末装置からのアクセスを許容するステップとを含み、前記各ステップをコンピュータに実行させることを特徴とする。
【００２３】
上記した課題を解決するために本発明は、動画再生時、視聴者端末装置を介して到来する要求に基づき、動画と前記動画と関連付けられた同期再生用コンテンツを配信する動画像配信システムにおける動画用同期再生コンテンツのアクセス制御装置に用いられるアクセス制御プログラムを記録したコンピュータ読取り可能な記録媒体であって、前記視聴者端末装置を介して得られる要求に基づき、視聴者が再生しようとする動画に関連付けられた同期再生用コンテンツを送信する第１のステップと、前記動画に関連付けられた前記動画用同期再生コンテンツに対し、前記視聴者端末装置を介して個人もしくはグループ単位で付与されるアクセス権限情報により、前記動画用同期再生コンテンツのアクセス制御を行なう第２のステップとを有し、前記第１のステップは、動画再生時、前記視聴者端末装置から、再生対象となる動画ＩＤと視聴者ＩＤを含む同期再生コンテンツの送信要求を受信するステップと、グループ情報ＤＢから前記視聴者が所属するグループＩＤを取得するステップと、同期情報ＤＢから前記受信した動画ＩＤと関連付けられている同期情報ＩＤを取得するステップと、同期再生用コンテンツＤＢから前記受信した視聴者ＩＤ、取得したグループＩＤ、同期情報ＩＤに基づき、視聴者が再生しようとする動画に関連付けられ、かつ、再生形態が再生となっている同期情報ＩＤを取得するステップと、前記取得した同期情報ＩＤに関する同期情報を前記同期情報ＤＢから取得し、前記取得した同期情報を要求のあった視聴者端末装置へ送信するステップとを含み、前記各ステップをコンピュータに実行させる動画用同期再生コンテンツのアクセス制御プログラムを記録したことを特徴とする。
【００２４】
また、本発明の記録媒体において、前記第２のステップは、前記視聴者端末装置を操作することによって付与される同期再生コンテンツ再生制御情報により、その再生形態を制御するステップを含み、前記ステップをコンピュータに実行させることを特徴とする請求項１６に記載の動画用同期再生コンテンツのアクセス制御プログラムを記録したことを特徴とする。
【００２５】
また、本発明の記録媒体において、前記第２のステップは、前記視聴者端末装置を操作することによって付与される前記再生形態の変更権限情報によりその再生形態のアクセス制御を行なうステップを含み、前記ステップをコンピュータに実行させることを特徴とする。
【００２６】
【発明の実施の形態】
図１は、本発明が採用される動画像配信システムにおける動画用同期再生コンテンツのアクセス制御装置の内部構成を機能展開して示したブロック図である。動画像配信システムは、視聴者端末装置１と、サーバ２（以降、単にアクセス制御装置２という）が、図示せぬＩＰ（Internet  Protocol）ネットワーク、もしくは放送網等の有線、無線を問わない通信ネットワークを介して接続される。
視聴者端末装置１は、同期再生用コンテンツや関連情報の編集等に利用する入力装置１１と、動画等を再生する表示装置１２やスピーカ１３から成り、表示装置１２とスピーカ１３により、動画や同期再生用コンテンツを再生する。
【００２７】
アクセス制御装置２は、動画配信部２１、動画再生用コンテンツ付与部２２、アクセス制御部２３、そして、各種データベース（ＤＢ）装置部２４で構成される。動画配信部２１は、視聴者端末装置２からの要求により動画情報を視聴者端末装置２の表示装置２２へ送信するものである。同期再生用コンテンツ付与部２２は、視聴者端末装置１からの要求に基づき、視聴者が動画再生時に同期してコンテンツを再生させるために必要な情報の収集を行い視聴者端末装置１の表示装置１２へ送信する機能と、同期再生用コンテンツを要求のあった視聴者端末装置１の表示装置１２に送信する機能を持つ。
【００２８】
アクセス制御部２３は、同期再生用コンテンツ作成時、各アクセス制御のために、後述する同期再生用コンテンツ管理者ＤＢ２４４、同期情報管理者ＤＢ２４５、同期再生用コンテンツ再生制御ＤＢ２４６へ付与するアクセス制御情報を登録する機能を持つ。また、視聴者が持つ、同期再生用コンテンツ、同期情報、同期再生コンテンツ再生制御の各情報に対するアクセス権限を、同期再生用コンテンツ管理者ＤＢ２４４、同期情報管理者ＤＢ２４５、同期再生用コンテンツ再生制御ＤＢ２４６から取得する機能を持つ。
なお、上記した動画配信部２１、動画再生用コンテンツ付与部２２、アクセス制御部２３は、具体的には、ＣＰＵならびにメモリを含む周辺ＬＳＩで構成され、ＣＰＵがメモリに記録されたプログラムを逐次読み出し実行することにより、そのブロックが持つ機能が実現されるものとする。
【００２９】
ＤＢ装置部２４は、動画情報ＤＢ２４１、同期情報ＤＢ２４２、同期再生用コンテンツＤＢ２４３、同期再生用コンテンツ管理者ＤＢ２４４、同期情報管理者ＤＢ２４５、同期再生コンテンツ再生制御ＤＢ２４６、グループ情報ＤＢ２４７、ユーザ情報ＤＢ２４８で構成される。
動画情報ＤＢ２４１には、視聴者端末装置１の表示装置１１に再生される動画ファイルが格納され、動画ＩＤにより一意に動画ファイルを管理する。また、  同期情報ＤＢ２４２は、動画再生時に同期再生用コンテンツを再生する位置情報（表示座標や再生開始時刻など）を管理する。同期情報ＩＤは一意となるよう付与されるものとする。
【００３０】
同期再生用コンテンツＤＢ２４３には、動画と同期して再生できるコンテンツが格納されており、同期再生用コンテンツＩＤ、同期再生用コンテンツ属性、シーケンス番号、同期再生用コンテンツタイプ、コンテンツの各フィールドからなり、それぞれの情報が管理される。
同期再生用コンテンツは、単一または複数レコードにより一つのコンテンツが構成され、その構成単位で同期再生用コンテンツＩＤが付与される。同期再生用コンテンツ属性とは、同期再生用コンテンツに関し、同期再生用コンテンツ自体であるか追加情報（同期再生用コンテンツのタイトルや作成日時など付隋的情報）であるかを識別するための情報である。
【００３１】
シーケンス番号は、同一の同期再生用コンテンツＩＤ、同期再生用コンテンツ属性のものが複数存在する場合に一意に識別するための番号として利用する。例えば、同期再生用コンテンツを複数回更新した場合は、同一の同期再生用コンテンツＩＤ、同期再生用コンテンツ属性が複数存在するが、このような場合にシーケンス番号でこれらを一意に特定する。
同期再生用コンテンツタイプは、同期再生用コンテンツがどのような種類（動画・静止画・音声・文字などの種類をはじめとするコンテンツの分類）であるかを識別するための情報が格納される。コンテンツデータには、同期再生用コンテンツの属性が同期再生用コンテンツ自体であればそのコンテンツファイルを格納し、追加情報の場合はそれらを表す文字等を格納する。
【００３２】
同期再生用コンテンツ管理者ＤＢ２４４は、同期再生用コンテンツＤＢ２４３で管理される情報に対するアクセス権限の内容を管理している。ある同期再生用コンテンツに対して、何らかのアクセス権限を持つ視聴者ＩＤや視聴者グループＩＤを管理者ＩＤとして管理する。また、複数の視聴者や視聴者グループに各々アクセス権限を付与する場合は、それらの分の同期再生用コンテンツ管理者レコードを作成して格納するものとする。
同期情報管理者ＤＢ２４５は、同期情報ＤＢ２４２に格納されている情報に対するアクセス権限の内容を管理している。すなわち、ある同期情報に対して、何らかのアクセス権限を持つ視聴者グループを同期情報作成者ＩＤとして管理する。また、複数の視聴者や視聴者グループにアクセス権限を付与する場合は、それらの分の同期情報管理者レコードを作成して格納するものとする。
【００３３】
同期再生コンテンツ再生制御ＤＢ２４６は、同期情報と視聴者や視聴者グループ毎に管理され、動画再生時に同期情報で管理されている同期再生用コンテンツの再生形態とその形態情報へのアクセス権限を管理している。ある同期情報に対して複数の視聴者や視聴者グループに何らかの再生形態を付与する場合は、それらの分の同期再生コンテンツ再生制御レコードを作成し、格納するものとする。
【００３４】
グループ情報ＤＢ２４７は、視聴者グループを一意に表すグループＩＤと視聴者を一意に表すユーザＩＤとの関連付け、および視聴者の所属するグループを管理している。視聴者が複数の視聴者グループに所属する場合は、各々の所属関係毎にレコードが存在する。ユーザ情報ＤＢ２４８は、視聴者を一意に表すユーザＩＤとその視聴者に関する情報を管理する。
なお、上記した動画情報ＤＢ２４１、同期情報ＤＢ２４２、同期再生用コンテンツＤＢ２４３、同期再生用コンテンツ管理者ＤＢ２４４、同期情報管理者ＤＢ２４５、同期再生コンテンツ再生制御ＤＢ２４６、グループ情報ＤＢ２４７、ユーザ情報ＤＢ２４８のいずれにも、データをリードライトするためのデータ読取り手段と、格納手段がそれぞれ備えられているものとする。
図２に、上記した各種ＤＢ装置部２４を構成するフィールドデータの関連を纏めの意味で示されている。図中、図１と同一番号の付されたブロックは図１に示すそれと同じとする。
【００３５】
図３〜図７は、本発明実施形態の動作を説明するために引用したフローチャートであり、動画再生時における同期再生コンテンツ付与部の処理の流れ（図３）、動画と同期再生用コンテンツの新規関連付け時におけるアクセス制御部の処理の流れ（図４、図５）、同期再生用コンテンツや同期情報、再生形態の変更時におけるアクセス制御部の処理の流れ（図６、図７）を示し、具体的には、いずれも本発明の動画用同期再生コンテンツのアクセス制御プログラムによる処理手順を示すものである。
図８〜図１０は、本発明実施形態の動作を説明するために引用した図であり、動画再生時のデータの流れ、動機情報新規作成字のデータの流れ、同期再生用コンテンツや同期情報、再生形態変更処理におけるデータの流れのそれぞれを示す動作概念図であり、図３〜図７に示すフローチャートを補足する意味で示した。
【００３６】
以下、図３〜図１０を参照しながら、図１、図２に示す本発明実施形態の動作について詳細に説明する。
まず、動画再生時の動作について図３に示すフローチャートおよび図７に示す動作概念図を参照して説明する。ここでは、まず、視聴者端末装置１がアクセス制御装置２の同期再生用コンテンツ付与部２２に対して、動画再生時に同期再生されるコンテンツの要求を行なうことから動作が開始される。なお、この要求には再生対象としている動画ＩＤと視聴者のユーザＩＤが含まれている。
【００３７】
同期再生用コンテンツ付与部２２は、上記した同期再生されるコンテンツの要求を受信し（ステップＳ３０１）、グループ情報から視聴者者の所属するグループＩＤを取得する（ステップＳ３０２）。また、同期情報から再生対象としている動画ＩＤと関連付けられている全ての同期情報ＩＤも取得する（ステップＳ３０３）。
同期再生用コンテンツ付与部２２は、更に、同期再生コンテンツ再生制御ＤＢ２４６からステップＳ３０３で取得した同期情報ＩＤとユーザＩＤ、そして、ステップＳ３０２で取得したグループＩＤの情報をもとに、視聴者が再生しようとしている動画に関連付けられ、かつ、再生形態が何らかの形態で再生となっている同期情報ＩＤを取得する（ステップＳ３０４）。また、ステップＳ３０４で取得した同期情報ＩＤに関する同期情報を取得し、取得した同期情報を要求のあった視聴者端末装置１の表示装置１２へ送信する（ステップＳ３０５）。
【００３８】
一方、視聴者端末装置１は、動画配信部２１に対して再生対象の動画情報を取得し再生を開始し、同期再生用コンテンツ付与部２２は、動画再生中の視聴者端末装置１から同期情報に基づき、再生に必要な同期再生用コンテンツの要求を受信する（ステップＳ３０６）。
同期再生用コンテンツ付与部２２は、同期再生用コンテンツの要求から同期情報ＩＤを取得し、同期情報から該当する同期情報ＩＤで管理されている同期再生用コンテンツＩＤを取得する（ステップＳ３０７）。そして、同期再生用コンテンツＤＢ２４３から同期再生用コンテンツを検索し、取得した同期再生用コンテンツＩＤで管理されているコンテンツの情報を要求のあった視聴者端末装置１へ送信する（ステップＳ３０８）。視聴者端末装置１は、ステップＳ３０５で取得した同期情報をもと同期再生用コンテンツ付与部２２から同期再生用コンテンツを取得し、動画と同期を取りながら同期再生用コンテンツを再生する。
【００３９】
次に、図４、図５に示すフローチャートならびに図９に示す動作概念図を参照しながら、動画と同期再生用コンテンツの新規関連付け時の処理の流れについて説明する。
まず、視聴者端末装置１から、アクセス制御装置２のアクセス制御部２３に対して新規に関連付けを行なうための要求が送信される（ステップＳ４０１）。なお、この要求には、視聴者のユーザＩＤ、同期情報、同期再生用コンテンツ、同期再生用コンテンツの再生を可能とするユーザＩＤやグループＩＤ、同期再生用コンテンツに対して編集権限を与えるグループとそれらのグループへ付与する権限情報が含まれるものとする。
【００４０】
アクセス制御部２３は、その要求が既存の同期再生用コンテンツとの関連付けであるか否かをチェックし（ステップＳ４０２）、チェックの結果、新規であった場合に、ステップＳ４０１で取得した情報から同期再生用コンテンツに書き込む情報を分離後、新たな同期再生用コンテンツＩＤを発行し、同期再生用コンテンツＤＢ２４３に格納する（ステップＳ４０４）。
また、ステップＳ４０１の要求受信時に取得した情報から同期情報ＤＢ２４２に書き込む情報を分離後、新たな同期情報ＩＤを発行し、同期情報ＤＢ２４２に格納する（ステップＳ４０５）。
【００４１】
更に、要求受信時に取得した情報から、新規関連付けを行なう同期再生用コンテンツに対するグループＩＤ毎のアクセス権限を分離し、前処理にて発行した同期再生用コンテンツＩＤと同期再生用コンテンツ管理者の管理者ＩＤ項目にグループＩＤを書き込む（ステップＳ４０６）。そして、同期再生用コンテンツアクセス制御情報にアクセス権限を表す識別を設定したレコードを作成し、同期再生用コンテンツ管理者ＤＢ２４４に書き込む（ステップＳ４０７）。
なお、要求が既存の同期再生用コンテンツとの関連付けであった場合は、その要求から同期情報書き込みに必要な情報を分離後、新たに発行した同期情報ＩＤと要求中の同期再生用コンテンツＩＤを付与した同期情報レコードを同期情報ＤＢ２４５に書き込む（ステップＳ４０３）。
【００４２】
アクセス制御部２３は、また、ステップＳ４０１で取得した情報から同期情報に対してアクセス権限を付与するユーザＩＤやグループＩＤを分離後、アクセス権を与える単位で同期情報管理者ＤＢ２４５に格納する（ステップＳ４０８）。
次に、アクセス制御部２３は、新規関連付けを行なうユーザ以外に同期情報へのアクセス権限を付与する要求か否かをチェックし（ステップＳ４０９）、そうであった場合は、前処理にて発行した同期情報ＩＤと要求中の同期情報にアクセス権限を与えるユーザＩＤまたはグループＩＤとその関連付けを行なう視聴者に対するアクセス権限の識別を設定したレコードを作成し、同期情報管理者ＤＢ２４５に設定する（ステップＳ４１０）。
【００４３】
一方、新規関連付けを行なうユーザ以外に同期情報へのアクセス権限を付与する要求でなかった場合、あるいはステップＳ４１０の処理を終えた後、要求中のユーザＩＤと、前処理にて発行した同期情報ＩＤ、関連付けを行なう視聴者本人に対する再生形態とその形態情報に関するアクセス権限の識別を設定したレコードを作成し、同期再生コンテンツ再生制御ＤＢ２４６にそのレコードを書き込む（ステップＳ４１１）。
次に、アクセス制御部２３は、新規関連付けを行なうユーザ以外に同期再生する視聴者やグループが要求中に含まれているか否かをチェックする（ステップＳ４１２）。ここで含まれていた場合は、要求中のユーザＩＤやグループＩＤと前処理で発行した同期情報ＩＤ、対象となるユーザやグループに対する再生形態とその形態情報へのアクセス権限の識別を設定したレコードを作成し、同期再生コンテンツ再生制御ＤＢ２４６にそのレコードを書き込み、処理を終了する（ステップＳ４１３）。
【００４４】
最後に、図６、図７に示すフローチャート、ならびに図１０に示す動作概念図を参照しながら、同期再生用コンテンツや同期情報、再生形態における変更時の処理の流れについて説明する。
まず、視聴者端末装置１を介し、アクセス制御装置２のアクセス制御部２３に対して変更を行なうための要求を受信する（ステップＳ６０１）。要求には、視聴者のユーザＩＤ、変更したい同期情報ＩＤを含めておくものとする。
【００４５】
アクセス制御部２３は、グループ情報からステップＳ６０１で取得したユーザＩＤが所属する全てのグループＩＤを取得する（ステップＳ６０２）。そして、同期情報管理者ＤＢ２４５を検索し、要求中の同期情報ＩＤと前処理で取得した全てのグループＩＤからアクセス権限識別を取得する（ステップＳ６０３）。
そして、アクセス権限の識別を１レコード以上取得できたか否かをチェックする（ステップＳ６０４）。ここで１レコード以上取得できた場合、同期情報管理者ＤＢ２４５から取得した最も許容度の高いアクセス権限をシステムで保持するものとし（ステップＳ６０５）、同期情報ＤＢ２４２から要求中の同期情報ＩＤで管理されている情報の同期再生用コンテンツＩＤを取得する（ステップＳ６０６）。
【００４６】
次に、アクセス制御部２３は、同期再生用コンテンツ管理者ＤＢ２４４を検索し、前処理で取得した同期再生用コンテンツＩＤと前処理で取得したグループＩＤから、アクセス権限識別情報を取得する（ステップＳ６０７）。
そして再び、アクセス権限の識別を１レコード以上取得できたか否かをチェックし（ステップＳ６０８）、ここで１レコード以上取得できた場合、同期情報管理者ＤＢ２４５から取得した最も許容度の高いアクセス権限をシステムで保持する（ステップＳ６０９）。そして、同期再生コンテンツ再生制御ＤＢ２４６を検索し、要求中の同期情報ＩＤと前処理で取得したグループＩＤと前処理で取得したグループＩＤからアクセス権限識別情報を取得する（ステップＳ６１０）。
【００４７】
更に、アクセス権限の識別を１レコード以上取得できたか否かをチェックし（ステップＳ６１１）、ここで１レコード以上取得できた場合、同期情報管理者ＤＢ２４５から取得した最も許容度の高いアクセス権限をシステムで保持する（ステップＳ６１２）。
そして、前処理で保持している各アクセス制御情報に基づき、視聴者端末装置１から、同期情報、同期再生用コンテンツ、同期再生コンテンツ再生制御の再生形態へのアクセスを許容する（ステップＳ６１３）。
【００４８】
一方、視聴者端末装置１は、同期再生用コンテンツ、同期情報、同期再生コンテンツ再生制御の編集を行い、アクセス制御部２３に対してその編集内容を送信する。アクセス制御部２３は、視聴者端末装置１から変更内容を受信し（ステップＳ６１４）、同期情報ＤＢ２４２へのアクセスを許容しているか否かを判別する（ステップＳ６１５）。
ここで許容している場合、変更対象としている同期情報を受信した変更内容で同期情報ＤＢ２４２を更新する（ステップＳ６１６）。アクセス制御部２３は、更に、同期再生用コンテンツＤＢ２４３へのアクセスを許容しているか否かをチェックし（ステップＳ６１７）、許容している場合、変更対象としている同期情報を受信した変更内容で更新する（ステップＳ６１８）。更にまた、再生形態へのアクセスを許容しているか否かをチェックし（ステップＳ６１９）、変更対象としている同期情報を受信した変更内容で同期再生コンテンツ再生制御ＤＢ２４６を更新する（ステップＳ６２０）。
【００４９】
すなわち、アクセス制御部２３は、同期再生用コンテンツ、同期情報、同期再生コンテンツ再生制御に関し、上記したアクセス制御に基づいた状態で視聴者端末装置１からのアクセスを許容する。アクセス制御部２３は、許容したアクセスの範囲で、同期再生用コンテンツＤＢ２４３、同期情報ＤＢ２４２、同期再生コンテンツ再生制御ＤＢ２４６へ編集後の情報を書き込む。
【００５０】
以上説明のように本発明は、従来の動画像送受信システムが持つ、動画情報、同期再生用コンテンツ、同期情報の各データベースに、同期再生用コンテンツ管理者、同期情報管理者、視聴者情報、グループ情報の各情報を追加し、動画に関連付けられた同期再生用コンテンツに対して視聴者や視聴者グループ単位でアクセス権限を付与することによってアクセス制御を行なうことにより、視聴者やグループ単位での同期再生用コンテンツの再生を実現するものである。
更に、同期再生用コンテンツの再生制御に関する情報をデータベースに追加し、視聴者や視聴者グループ毎に同期再生コンテンツの再生形態、およびその再生形態に対する変更権限を付加することで、権限付加単位での再生形態保持やその形態情報へのアクセス制御を行なうことができる。
【００５１】
なお、前述した説明においては、動画の再生時に同期再生用のコンテンツを関連付けて、動画と同期して同期再生用コンテンツを再生する動作を説明したが、静止画を順次切り替えるコンテンツや音声のコンテンツに対して、同期再生用コンテンツを関連付けて、２つのコンテンツを同期させて再生するようにしてもよい。すなわち、同期再生用コンテンツを同期させる対象は、動画に限らず、時刻とともに再生内容が変化するコンテンツであれば何でもよい。
【００５２】
また、上記した本発明実施形態においては、アクセス制御装置２を構成する動画配信部２１、同期再生用コンテンツ付与部２２、アクセス制御部２３のそれぞれで実行される手順をコンピュータ読取り可能な記録媒体に記録し、この記録媒体に記録されたプログラムをコンピュータシステムに読み込ませ、実行することにより本発明が実現される視聴者参加型ストリーム配信システムにおける各機能が実行されるものとする。ここでいうコンピュータシステムとは、ＯＳや周辺機器等のハードウェアを含むものである。また、「コンピュータシステム」は、ＷＷＷシステムを利用している場合であれば、ホームページ提供環境（あるいは表示環境）も含むものとする。また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００５３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５４】
以上、この発明の実施形態を図面を参照して詳述してきたが、具体的な構成はこの実施形態に限られるものではなく、この発明の要旨を逸脱しない範囲の設計等も含まれる。
【００５５】
【発明の効果】
以上説明のように本発明によれば、動画に関連付けられた同期再生用コンテンツに対して視聴者やグループ単位でアクセス権限を付与することでアクセス制御を行なうことにより、視聴者やグループ単位での同期再生用コンテンツの再生を実現することができる。また、視聴者やグループ毎に同期再生コンテンツの再生形態、およびその再生形態に対する変更権限を付加することで、権限付加単位での再生形態保持やその形態情報へのアクセス制御を行なうことができる。従って、融通性の高いシステム構築が可能となる。
なお、本発明をウェブ教育システムに応用した場合、動画教材に対するアクセス制御を実装することで、学習者が学習中に、同期再生用コンテンツとしてのメモやマーク等、独自の学習補助データを追加することができ、様々なポリシーに基づく学習補助データを実現でき、学習効率を高めることができる。
【図面の簡単な説明】
【図１】  本発明が採用される動画像配信システムにおける動画用同期再生コンテンツのアクセス制御装置の内部構成を機能展開して示したブロック図である。
【図２】  図１に示す各種ＤＢ装置部を構成するそれぞれのＤＢにおけるフィールドデータの関連を纏めの意味で示した図である。
【図３】  本発明実施形態の動作を説明するために引用したフローチャートである。
【図４】  本発明実施形態の動作を説明するために引用したフローチャートである。
【図５】  本発明実施形態の動作を説明するために引用したフローチャートである。
【図６】  本発明実施形態の動作を説明するために引用したフローチャートである。
【図７】  本発明実施形態の動作を説明するために引用したフローチャートである。
【図８】  本発明実施形態の動作を説明するために引用した動作概念図である。
【図９】  本発明実施形態の動作を説明するために引用した動作概念図である。
【図１０】  本発明実施形態の動作を説明するために引用した動作概念図である。
【符号の説明】
１…視聴者端末装置、２…サーバ（アクセス制御装置）、２１…動画配信部、２２…同期再生用コンテンツ付与部、２３…アクセス制御部、２４…各種ＤＢ装置部、２４１…動画情報ＤＢ、２４２…同期情報ＤＢ、２４３…同期再生用コンテンツＤＢ、２４４…同期再生用コンテンツ管理者ＤＢ、２４５…同期情報管理者ＤＢ、２４６…同期再生コンテンツ再生制御ＤＢ、２４７…グループ情報ＤＢ、２４８…ユーザ情報ＤＢ
【図１】
0003701591.tif 000002
【図２】
0003701591.tif 000003
【図３】
0003701591.tif 000004
【図４】
0003701591.tif 000005
【図５】
0003701591.tif 000006
【図６】
0003701591.tif 000007
【図７】
0003701591.tif 000008
【図８】
0003701591.tif 000009
【図９】
0003701591.tif 000010
【図１０】
0003701591.tif 000011